(57)【要約】【課題】各漏洩同軸ケーブルの指向性に合せた効率のよい送受信を可能とし、これにより無線通信の品質および信頼性が大幅に向上する無線通信システムを提供する。【解決手段】漏洩同軸ケーブル３は、電波の放射・入射の方向が軸方向に沿って終端側または基端側に傾く特性を有する。端末１０側の漏洩同軸ケーブル１３は、電波の放射・入射の方向が軸方向に沿って終端側または基端側に傾く特性を有し、かつその放射・入射の方向が漏洩同軸ケーブル３の放射・入射の方向と一致する状態に配置され、その漏洩同軸ケーブル３との間で電波を送受信する。【選択図】図１
2011250118.tif 000002
【特許請求の範囲】
【請求項１】
電波の放射・入射の方向が軸方向に沿って終端側または基端側に傾く特性の第１漏洩同軸ケーブルと、
電波の放射・入射の方向が軸方向に沿って終端側または基端側に傾く特性を有し、かつその放射・入射の方向が前記第１漏洩同軸ケーブルの放射・入射の方向と一致する状態に配置され、前記第１漏洩同軸ケーブルとの間で電波を送受信する第２漏洩同軸ケーブルと、
を備えることを特徴とする無線通信システム。
【請求項２】
前記第２漏洩同軸ケーブルは、前記第１漏洩同軸ケーブルに沿って移動可能な端末に設けられていることを特徴とする請求項１記載の無線通信システム。
【請求項３】
前記第１漏洩同軸ケーブルに送信信号を供給するとともに、その第１漏洩同軸ケーブルの受信信号を取込む第１送受信手段と、
前記第２漏洩同軸ケーブルに送信信号を供給するとともに、その第２漏洩同軸ケーブルの受信信号を取込む第２送受信手段と、
をさらに備えることを特徴とする請求項１記載の無線通信システム。
【請求項４】
前記第１漏洩同軸ケーブルは、電波の放射・入射の方向が互いに同じで、その放射・入射の方向が互いに逆向きとなる状態に配置された２本の漏洩同軸ケーブルであり、
前記第２漏洩同軸ケーブルは、電波の放射・入射の方向が互いに同じで、その放射・入射の方向が互いに逆向きとなる状態に配置された２本の漏洩同軸ケーブルである、
をことを特徴とする請求項１記載の無線通信システム。
【請求項５】
前記各第１漏洩同軸ケーブルに対する送信信号を出力するとともに、その各第１漏洩同軸ケーブルの受信信号を取込むための第１送受信手段と、
この第１送受信手段の送信信号を前記各第１漏洩同軸ケーブルに分配供給するとともに、前記各第１漏洩同軸ケーブルの受信信号を前記第１送受信手段に導く第１分配・合成手段と、
前記各第２漏洩同軸ケーブルに対する送信信号を出力するとともに、その各第２漏洩同軸ケーブルの受信信号を取込むための第２送受信手段と、
この第２送受信手段の送信信号を前記各第２漏洩同軸ケーブルに分配供給するとともに、前記各第２漏洩同軸ケーブルの受信信号を前記第２送受信手段に導く第２分配・合成手段と、
をさらに備えることを特徴とする請求項４記載の無線通信システム。
【請求項６】
前記各第２漏洩同軸ケーブルの一方は、電波の放射・入射の方向が前記各第１漏洩同軸ケーブルの一方と一致する状態に配置され、
前記各第２漏洩同軸ケーブルの他方は、電波の放射・入射の方向が前記各第１漏洩同軸ケーブルの他方と一致する状態に配置されている、
ことを特徴とする請求項４記載の無線通信システム。
【発明の詳細な説明】
【技術分野】
【０００１】
本発明の実施形態は、無線通信システムに関する。
【背景技術】
【０００２】
端末の移動方向に沿って漏洩同軸ケーブル（ＬＣＸ）を敷設し、その漏洩同軸ケーブルを介して端末との無線通信を行う無線通信システムが知られている。
【先行技術文献】
【特許文献】
【０００３】
【特許文献１】特許第３７３２８４９号公報
【発明の概要】
【発明が解決しようとする課題】
【０００４】
漏洩同軸ケーブルの各スリットから放射される電波には指向性がある。漏洩同軸ケーブルの各スリットに入射する電波にも指向性がある。
【０００５】
このため、端末側のアンテナとして同じ漏洩同軸ケーブルを用いた場合、それぞれの漏洩同軸ケーブルの指向性の影響により、両ケーブル間における電波の送受信効率が悪くなることがある。
【０００６】
本発明の実施形態の目的は、各漏洩同軸ケーブルの指向性に合せた効率のよい送受信を可能とし、これにより無線通信の品質および信頼性が大幅に向上する無線通信システムを提供することである。
【課題を解決するための手段】
【０００７】
本発明の実施形態の無線通信システムは、第１漏洩同軸ケーブルと第２漏洩同軸ケーブルとの間で電波を送受信する。第１漏洩同軸ケーブルは、電波の放射・入射の方向が軸方向に沿って終端側または基端側に傾く特性を有する。第２漏洩同軸ケーブルは、電波の放射・入射の方向が軸方向に沿って終端側または基端側に傾く特性を有し、かつその放射・入射の方向が第１漏洩同軸ケーブルの放射・入射の方向と一致する状態に配置される。
【図面の簡単な説明】
【０００８】
【図１】第１の実施形態の構成を示す図。
【図２】各実施形態における漏洩同軸ケーブルの具体的な構成を示す図。
【図３】第２の実施形態の構成を示す図。
【図４】第３の実施形態の構成を示す図。
【図５】第４の実施形態の構成を示す図。
【図６】第５の実施形態の構成を示す図。
【図７】第６の実施形態の構成を示す図。
【符号の説明】
【０００９】
１…送受信器（第１送受信手段）、２…エンドファイア型の漏洩同軸ケーブル、３…バックファイア型の漏洩同軸ケーブル、４…分配・合成器（第１分配・合成手段）、１０…端末、１１…送受信器（第２送受信手段）、１２…エンドファイア型の漏洩同軸ケーブル、１３…バックファイア型の漏洩同軸ケーブル、１４…分配・合成器（第２分配・合成手段）、２１…内部導体、２２…絶縁体、２３…外部導体、２３ａ…スロット、２４…シース、２５…支持部材
【発明を実施するための形態】
【００１０】
［１］以下、第１実施形態について図面を参照して説明する。  
アクセスポイントと称する送受信器（第１送受信手段）１に、第１漏洩同軸ケーブルとして、エンドファイア型の漏洩同軸ケーブル２の基端（給電・受電端）２ａが接続される。この漏洩同軸ケーブル２は、例えば倉庫、店舗、道路、トンネル等の施設において直線状および屈曲状を含む適宜な経路で敷設される。
【００１１】
送受信器１は、漏洩同軸ケーブル２に送信信号を供給するとともに、漏洩同軸ケーブル２の受信信号を取込む。
【００１２】
エンドファイア型の漏洩同軸ケーブル２は、電波の放射・入射の方向が軸方向に沿って終端２ｂ側に傾く特性を有し、図２に示すように、内部導体２１、この内部導体２１を囲む絶縁体２２、この絶縁体２２の外周に設けられた外部導体２３、この外部導体２３を覆うシース２４、このシース２４の外周面に軸方向に沿って設けられたケーブル状の支持部材２５からなり、外部導体２３の各スロット２３ａから電波を漏洩するとともに、その各スロット２３ａを通して外部の電波を受信する。
【００１３】
各スロット２３ａは、軸方向に沿う一定間隔Ｄの位置にそれぞれ形成されている。これらスロット２３ａにおける電波の放射・入射の方向Ｘは、エンドファイア型の場合、軸方向と直交する方向に対して所定角度θだけ終端２ｂ側に傾く。所定角度θは、各スロット２３ａの間隔Ｄおよび当該漏洩同軸ケーブル２を伝播する信号の周波数に応じて定まる。
【００１４】
この漏洩同軸ケーブル２に沿って例えば台車、カート、フォークリフト、自動車等の端末１０が移動可能に設けられ、その端末１０にクライアントと称する送受信器（第２送受信手段）１１および漏洩同軸ケーブル１２が搭載される。
【００１５】
送受信器１１は、漏洩同軸ケーブル１２の基端２ａに接続され、漏洩同軸ケーブル１２に送信信号を供給するとともに、漏洩同軸ケーブル１２の受信信号を取込む。
【００１６】
漏洩同軸ケーブル１２は、漏洩同軸ケーブル２と同じエンドファイア型で、電波の放射・入射の方向が終端１２ｂ側に傾く特性を有し、かつ図２の構成を有する。とくに、漏洩同軸ケーブル１２は、基端１２ａから終端１２ｂに延びる方向が、漏洩同軸ケーブル２の基端２ａから終端２ｂに延びる方向と逆向きの状態に配置される。
【００１７】
このような構成の無線通信システムによれば、端末１０が漏洩同軸ケーブル２の近傍に移動してきたとき、図１に破線矢印で示すように、漏洩同軸ケーブル２の電波の放射・入射の方向と端末１０側の漏洩同軸ケーブル１２の電波の放射・入射の方向とが一致する。
【００１８】
したがって、漏洩同軸ケーブル２，１２の相互間でそれぞれの指向性に合せた効率のよい送受信が可能となる。これにより、アクセスポイントである送受信器１とクライアントである送受信器１１との間の無線通信の品質および信頼性が大幅に向上する。
【００１９】
［２］第２の実施形態について説明する。  
図３に示すように、送受信器１に、第１の実施形態の漏洩同軸ケーブル２に代えて、バックファイア型の漏洩同軸ケーブル３の基端（給電・受電端）３ａが接続される。この漏洩同軸ケーブル３は、図２の構成を有し、電波の放射・入射の方向Ｘが軸方向と直交する方向に対して所定角度θだけ基端３ａ側に傾く特性を有する。
【００２０】
また、端末１０において、送受信器１１に、第１の実施形態の漏洩同軸ケーブル１２に代えて、バックファイア型の漏洩同軸ケーブル１３の基端（給電・受電端）１３ａが接続される。この漏洩同軸ケーブル１３は、図２の構成を有し、電波の放射・入射の方向Ｘが軸方向と直交する方向に対して所定角度θだけ基端１３ａ側に傾く特性を有する。また、漏洩同軸ケーブル１３は、基端１３ａから終端１３ｂに延びる方向が、漏洩同軸ケーブル１２の基端１２ａから終端１２ｂに延びる方向と逆向きの状態に配置される。
【００２１】
このような構成の無線通信システムによれば、端末１０が漏洩同軸ケーブル２の近傍に移動してきたとき、図３に破線矢印で示すように、漏洩同軸ケーブル３の電波の放射・入射の方向と端末１０側の漏洩同軸ケーブル１３の電波の放射・入射の方向とが一致する。
【００２２】
したがって、漏洩同軸ケーブル３，１３の相互間でそれぞれの電波の指向性に合せた効率のよい電波の送受信が可能となる。これにより、アクセスポイントである送受信器１とクライアントである送受信器１１との間の無線通信の品質および信頼性が大幅に向上する。
【００２３】
［３］第３の実施形態について説明する。  
図４に示すように、送受信器１に、分配・合成器（第１分配・合成手段）４を介して、第１漏洩同軸ケーブルであるエンドファイア型の２本の漏洩同軸ケーブル２の基端２ａが接続される。これら漏洩同軸ケーブル２は、基端２ａが互いに近接してそこから外側に終端２ｂがそれぞれ拡がる状態に配置され、これにより電波の放射・入射の方向Ｘが互いに逆向きの状態となる。
【００２４】
分配・合成器４は、送受信器１の送信信号を各漏洩同軸ケーブル２に分配供給するとともに、各漏洩同軸ケーブル２の受信信号を分配・合成器４に導く。
【００２５】
また、端末１０において、送受信器１１に、分配・合成器（第２分配・合成手段）１４を介して、第２漏洩同軸ケーブルであるエンドファイア型の２本の漏洩同軸ケーブル１２の基端１２ａが接続される。これら漏洩同軸ケーブル１２は、終端１２ｂが互いに近接してそこから外側に基端１２ａがそれぞれ拡がる状態に配置され、これにより電波の放射・入射の方向Ｘが互いに逆向きの状態となる。
【００２６】
分配・合成器１４は、送受信器１１の送信信号を各漏洩同軸ケーブル１２に分配供給するとともに、各漏洩同軸ケーブル１２の受信信号を分配・合成器１４に導く。
【００２７】
とくに、端末１０における一方（左側）の漏洩同軸ケーブル１２は、基端１２ａから終端１２ｂに延びる方向が、一方（左側）の漏洩同軸ケーブル２の基端２ａから終端２ｂに延びる方向と逆向きの状態に配置される。また、端末１０における他方（右側）の漏洩同軸ケーブル１２は、基端１２ａから終端１２ｂに延びる方向が、他方（右側）の漏洩同軸ケーブル２の基端２ａから終端２ｂに延びる方向と逆向きの状態に配置される。
【００２８】
このような構成の無線通信システムによれば、端末１０が各漏洩同軸ケーブル２の近傍に移動してきたとき、図４に破線矢印で示すように、一方（左側）の漏洩同軸ケーブル２の電波の放射・入射の方向と端末１０側の一方（左側）の漏洩同軸ケーブル１２の電波の放射・入射の方向とが一致する。さらに、他方（右側）の漏洩同軸ケーブル２の電波の放射・入射の方向と端末１０側の他方（右側）の漏洩同軸ケーブル１２の電波の放射・入射の方向とが一致する。
【００２９】
したがって、各漏洩同軸ケーブル２と各漏洩同軸ケーブル１２の相互間で、それぞれの指向性に合せた効率のよい送受信が可能となる。これにより、アクセスポイントである送受信器１とクライアントである送受信器１１との間の無線通信の品質および信頼性が大幅に向上する。
【００３０】
［４］第４の実施形態について説明する。  
図５に示すように、送受信器１に、分配・合成器４を介して２本の漏洩同軸ケーブル２の基端２ａが接続される。この構成は第３の実施形態と同じである。
【００３１】
また、端末１０において、送受信器１１に、分配・合成器１４を介して、第２漏洩同軸ケーブルであるバックファイア型の２本の漏洩同軸ケーブル１３の基端１３ａが接続される。これら漏洩同軸ケーブル１３は、基端１３ａが互いに近接してそこから外側に終端１３ｂがそれぞれ拡がる状態に配置され、これにより電波の放射・入射の方向Ｘが互いに逆向きの状態となる。
【００３２】
とくに、一方（左側）の漏洩同軸ケーブル１３は、基端１３ａから終端１３ｂに延びる方向が、一方（左側）の漏洩同軸ケーブル２の基端２ａから終端２ｂに延びる方向と同じ向きになるよう配置される。また、他方（右側）の漏洩同軸ケーブル１３は、基端１３ａから終端１３ｂに延びる方向が、他方（右側）の漏洩同軸ケーブル２の基端２ａから終端２ｂに延びる方向と同じ向きになるよう配置される。
【００３３】
このような構成の無線通信システムによれば、端末１０が各漏洩同軸ケーブル２の近傍に移動してきたとき、図５に破線矢印で示すように、一方（左側）の漏洩同軸ケーブル２の電波の放射・入射の方向と端末１０側の一方（左側）の漏洩同軸ケーブル１３の電波の放射・入射の方向とが一致する。さらに、他方（右側）の漏洩同軸ケーブル２の電波の放射・入射の方向と端末１０側の他方（右側）の漏洩同軸ケーブル１３の電波の放射・入射の方向とが一致する。
【００３４】
したがって、各漏洩同軸ケーブル２と各漏洩同軸ケーブル１３の相互間で、それぞれの指向性に合せた効率のよい送受信が可能となる。これにより、アクセスポイントである送受信器１とクライアントである送受信器１１との間の無線通信の品質および信頼性が大幅に向上する。
【００３５】
［５］第５の実施形態について説明する。  
図６に示すように、送受信器１に、分配・合成器４を介して、第１漏洩同軸ケーブルであるバックファイア型の２本の漏洩同軸ケーブル３の基端３ａが接続される。これら漏洩同軸ケーブル３は、終端３ｂが互いに近接してそこから外側に基端３ａがそれぞれ拡がる状態に配置され、これにより電波の放射・入射の方向Ｘが互いに逆向きの状態となる。
【００３６】
また、端末１０において、送受信器１１に、分配・合成器１４を介して、第２漏洩同軸ケーブルであるバックファイア型の２本の漏洩同軸ケーブル１３の基端１３ａが接続される。
【００３７】
この構成は第４の実施形態と同じである。
【００３８】
そして、一方（左側）の漏洩同軸ケーブル１３は、基端１３ａから終端１３ｂに延びる方向が、一方（左側）の漏洩同軸ケーブル３の基端３ａから終端３ｂに延びる方向と逆向きになるよう配置される。また、他方（右側）の漏洩同軸ケーブル１３は、基端１３ａから終端１３ｂに延びる方向が、他方（右側）の漏洩同軸ケーブル３の基端３ａから終端３ｂに延びる方向と逆向きになるよう配置される。
【００３９】
このような構成の無線通信システムによれば、端末１０が各漏洩同軸ケーブル３の近傍に移動してきたとき、図６破線矢印で示すように、一方（左側）の漏洩同軸ケーブル３の電波の放射・入射の方向と端末１０側の一方（左側）の漏洩同軸ケーブル１３の電波の放射・入射の方向とが一致する。さらに、他方（右側）の漏洩同軸ケーブル３の電波の放射・入射の方向と端末１０側の他方（右側）の漏洩同軸ケーブル１３の電波の放射・入射の方向とが一致する。
【００４０】
したがって、各漏洩同軸ケーブル３と各漏洩同軸ケーブル１３の相互間で、それぞれの指向性に合せた効率のよい送受信が可能となる。これにより、アクセスポイントである送受信器１とクライアントである送受信器１１との間の無線通信の品質および信頼性が大幅に向上する。
【００４１】
［６］第６の実施形態について説明する。  
図７に示すように、送受信器１に、分配・合成器４を介して２本の漏洩同軸ケーブル３の基端３ａが接続される。この構成は第５の実施形態と同じである。
【００４２】
また、端末１０において、送受信器１１に、分配・合成器１４を介して、第２漏洩同軸ケーブルであるエンドファイア型の２本の漏洩同軸ケーブル１２の基端１２ａが接続される。これら漏洩同軸ケーブル１２は、終端１２ｂが互いに近接してそこから外側に基端１２ａがそれぞれ拡がる状態に配置され、これにより電波の放射・入射の方向Ｘが互いに逆向きの状態となる。
【００４３】
とくに、一方（左側）の漏洩同軸ケーブル１２は、基端１２ａから終端１２ｂに延びる方向が、一方（左側）の漏洩同軸ケーブル３の基端３ａから終端３ｂに延びる方向と同じ向きになるよう配置される。また、他方（右側）の漏洩同軸ケーブル１２は、基端１２ａから終端１２ｂに延びる方向が、他方（右側）の漏洩同軸ケーブル３の基端３ａから終端３ｂに延びる方向と同じ向きになるよう配置される。
【００４４】
このような構成の無線通信システムによれば、端末１０が各漏洩同軸ケーブル３の近傍に移動してきたとき、図７に破線矢印で示すように、一方（左側）の漏洩同軸ケーブル３の電波の放射・入射の方向と端末１０側の一方（左側）の漏洩同軸ケーブル１２の電波の放射・入射の方向とが一致する。さらに、他方（右側）の漏洩同軸ケーブル３の電波の放射・入射の方向と端末１０側の他方（右側）の漏洩同軸ケーブル１２の電波の放射・入射の方向とが一致する。
【００４５】
したがって、各漏洩同軸ケーブル３と各漏洩同軸ケーブル１２の相互間で、それぞれの指向性に合せた効率のよい送受信が可能となる。これにより、アクセスポイントである送受信器１とクライアントである送受信器１１との間の無線通信の品質および信頼性が大幅に向上する。
【００４６】
なお、本発明は上記各実施形態に限定されるものではなく、要旨を変えない範囲で種々変形実施可能である。
【図１】
2011250118.tif 000003
【図２】
2011250118.tif 000004
【図３】
2011250118.tif 000005
【図４】
2011250118.tif 000006
【図５】
2011250118.tif 000007
【図６】
2011250118.tif 000008
【図７】
2011250118.tif 000009